(57)【要約】【課題】  １つの表示部を有し、この表示部を顧客用表示部、店員用表示部として使用するＰＯＳ端末において、表示部を顧客用表示部として操作する際に、ＰＯＳ端末内蔵の機器や外部接続されている周辺機器を誤動作させてしまうことがあった。【解決手段】本体と、当該本体に支軸部を介して設けられ、当該支軸部を中心とした回動動作により、前記本体に対する第１の動作位置及び第２の動作位置のいずれかに回転移動される表示部と、前記本体に対する前記表示部の状態を検出するセンサと、前記センサにて前記表示部の状態が前記第１の動作位置であること検出した場合、前記本体または前記表示部に内蔵される機器の動作を実行させ、前記センサにて前記表示部の状態が前記第２の動作位置であることを検出した場合、前記本体または前記表示部に内蔵される機器の全て又は一部の機器の動作を停止させる制御部とを備える【選択図】図６
2012203505.tif 000002
【特許請求の範囲】
【請求項１】
本体と、
当該本体に支軸部を介して設けられ、当該支軸部を中心とした回動動作により、前記本体に対する第１の動作位置及び第２の動作位置のいずれかに回転移動される表示部と、
前記本体に対する前記表示部の状態を検出するセンサと、
前記センサにて前記本体に対する前記表示部の状態が前記第１の動作位置であること検出した場合、前記本体または前記表示部に内蔵される機器の動作を実行させ、前記センサにて前記本体に対する前記表示部の状態が前記第２の動作位置であることを検出した場合、前記本体または前記表示部に内蔵される機器の全て又は一部の機器の動作を停止させる制御部と、
を備えることを特徴とする情報処理端末。
【請求項２】
外部機器と接続可能な接続部をさらに備え、
前記制御部は、
前記第２の動作位置であることを前記センサが検出した場合、前記接続部に接続された外部機器の全て又は一部の機器の動作を停止することを特徴とする請求項１記載の情報処理端末。
【請求項３】
印字媒体に印字を行う印字部とをさらに備え、
前記制御部は、
前記第２の動作位置であることを前記センサが検出した場合、前記印字部の動作を停止することを特徴とする請求項１又は２記載の情報処理端末。
【請求項４】
本体と、
当該本体に支軸部を介して設けられ、当該支軸部を中心とした回動動作により、前記本体に対する第１及び第２位置のいずれかに回転移動されると、
前記本体に対する前記表示部の状態を検出するセンサと、
前記センサにて回動動作により第１及び第２位置の位置が以前と変更されたことを検出した場合、前記本体または前記表示部に内蔵される機器の動作を稼動／停止を選択する制御部と、
を備えることを特徴とする情報処理端末
【請求項５】
前記センサは加速度センサであることを特徴とする請求項１乃至４のいずれか一つに記載の情報処理端末。
【発明の詳細な説明】
【技術分野】
【０００１】
本発明の実施形態は、表示部を有する情報処理端末に関する。
【背景技術】
【０００２】
現在、１つの表示部を有するＰＯＳ（Ｐｏｉｎｔ  Ｏｆ  Ｓａｌｅｓ）端末が存在する。ＰＯＳ端末は、その内部にＨＤＤ（Ｈａｒｄ  Ｄｉｓｋ  Ｄｒｉｖｅ）やプリンタ等を有し、キーボードや決済端末等の外部機器がコネクタを介して接続されている。
【０００３】
店員は、このＰＯＳ端末の表示部を用いて、例えば、商品購入のための商品登録処理を実行する。一方、顧客においても、この表示部を使って入力操作を行う場合がある。
【０００４】
顧客がＰＯＳ端末を操作する場合に必要とされるＰＯＳ端末の機能は、店員がＰＯＳ端末を操作する場合に必要とされる機能に比べて限られている。
【０００５】
例えば、店員は商品登録業務を実行する際に、バーコードスキャナやＣＣＤスキャナ等を使用して商品登録を行い、プリンタを動作させてレシート発行などを行う。また、カード決済を実行する場合は、カードリーダを動作させる必要がある。一方、顧客がＰＯＳ端末を使用する場合は、例えば、表示部に所定の情報を表示する若しくは表示内容を顧客に選択操作させるにとどまることが多い。
【先行技術文献】
【特許文献】
【０００６】
【特許文献１】特開２０１０−４９４２９号公報
【発明の概要】
【発明が解決しようとする課題】
【０００７】
しかしながら、顧客がＰＯＳ端末を操作する場合であっても、ＰＯＳ端末に内蔵されている機器や外部接続されている外部機器は、店員がＰＯＳ端末を操作する場合と同様に全ての機器が動作している。したがって、顧客がＰＯＳ端末を操作する際に、これらＰＯＳ端末内蔵の機器や外部接続されている外部機器を誤動作させてしまうことがあった。
【課題を解決するための手段】
【０００８】
本実施形態の情報処理端末は、本体と、当該本体に支軸部を介して設けられ、当該支軸部を中心とした回動動作により、前記本体に対する第１の動作位置及び第２の動作位置のいずれかに回転移動される表示部と、前記本体に対する前記表示部の状態を検出するセンサと、前記センサにて前記本体に対する前記表示部の状態が前記第１の動作位置であること検出した場合、前記本体または前記表示部に内蔵される機器の動作を実行させ、前記センサにて前記本体に対する前記表示部の状態が前記第２の動作位置であることを検出した場合、前記本体または前記表示部に内蔵される機器の全て又は一部の機器の動作を停止させる制御部と、を備える。
【図面の簡単な説明】
【０００９】
【図１】本実施形態に係るＰＯＳ端末の外観を示す外観斜視図。
【図２】本実施形態に係るＰＯＳ端末を側面からみた側面図。
【図３】本実施形態に係るＰＯＳ端末を側面からみた側面図。
【図４】本実施形態に係るＰＯＳ端末の本体の内部構造を示す図。
【図５】本実施形態に係るＰＯＳ端末の電気的接続を示す図。
【図６】本実施形態に係るＰＯＳ端末のＣＰＵが実行制御するフローチャート。
【図７】本実施形態に係るＰＯＳ端末のＣＰＵが実行制御するフローチャート。
【図８】本実施形態に係るＰＯＳ端末のＣＰＵが実行制御するフローチャート。
【発明を実施するための形態】
【００１０】
以下、添付図面を参照して、本発明の実施形態に係る情報処理装置の一実施形態を詳細に説明する。本実施形態では、商品登録処理等の業務を実行するＰＯＳ（Ｐｏｉｎｔ  Ｏｆ  Ｓａｌｅｓ）端末に適用した例として説明する。
【００１１】
図1は、ＰＯＳ端末の外観を示す外観斜視図である。ＰＯＳ端末１は、本体１０と表示部３０と支軸部２０とを備える。
【００１２】
本体１０は、支軸部２０（図１参照）を介して表示部３０が回動自在に取り付けられている。また、本体１０の上面部は傾斜面となっている（図２参照）。また、本体１０の内部は、印字を行なうプリンタ５２（図4参照）と、このプリンタ５２により印字されるロール紙Ｒ（図4参照）と、ＰＯＳ端末１の動作を制御するＣＰＵ５１と、ＲＯＭ５３、ＲＡＭ５４、ハードディスクドライブ（ＨＤＤ）５５等が内蔵されている。なお、ＰＯＳ端末１の電気的構成については後ほど詳述する。
【００１３】
表示部３０は、店員や顧客等のタッチ操作を検出するタッチパネル式の表示部で構成される。表示部３０は、支軸部２０を中心に回動することにより、本体１０の上面部に沿って倒れる状態（図２参照）、若しくは本体１０の上面部から起立する状態（図３参照）と、に状態を変更可能とする。例えば、表示部３０が本体１０の上面部に沿って倒れる状態（図２参照）の場合、ＰＯＳ端末１は店員により操作されることで商品登録業務等が行なわれる。一方、表示部３０が本体１０の上面部から起立した状態の場合、顧客によってＰＯＳ端末１の表示部３０は操作される。
【００１４】
図２は、ＰＯＳ端末１を側面からみた側面図である。図２は、ＰＯＳ端末１の表示部３０が、本体の上面部に沿って倒れる状態であることを示している。
【００１５】
図３は、図２と同様にＰＯＳ端末１を側面からみた側面図である。図２は、ＰＯＳ端末１の表示部３０が、本体１０の上面部から起立した状態であることを示している。
【００１６】
なお、図３に示す表示部３０は、本体１０に対して略垂直の状態であるが、ここでの起立した状態とは、必ずしも略垂直の状態である必要はなく、表示部３０が本体１０に対して所定の角度を有する状態であってもよい。
【００１７】
図４は、ＰＯＳ端末１の本体１０の内部構造を示す図である。本体１０の略中央部には、印字媒体であるロール紙Ｒを収納する用紙収納部４１を有する。用紙収納部４１には、ロール紙Ｒが収納される。ロール紙Ｒは、用紙収納部４１から繰り出され、サーマルヘッドにて印字される。
【００１８】
また、本体の図４の右方部前面には、外部機器と接続するための接続端子が配置されている。ＰＯＳ端末１と接続される外部機器としては、例えば、現金等を収納するためのドロワ６１、商品に付された商品ラベルに印刷されているバーコードを読み取るバーコードスキャナ６２、値引き用シールなどを読み取るＣＣＤスキャナ６３、カード決済等の場合に用いられるカードリーダ６４、ＰＯＳ端末操作用に接続されているキーボード６５などがある。
【００１９】
図５は、ＰＯＳ端末１の電気的接続を示す図である。ＰＯＳ端末１は、その内部にＣＰＵ５１を有する。このＣＰＵ５１に印字を行うプリンタ５２、ＲＯＭ５３、ＲＡＭ５４，ＨＤＤ５５、タッチパネル５６、センサ５７、通信インターフェース５８、接続部であるコネクタ５９、電源回路６０とが主として接続されている。また、コネクタ等から構成される接続部を介してドロワ６１、バーコードスキャナ６２、ＣＣＤスキャナ６３、カードリーダ６４、キーボード６５、客面に対して価格の表示を行う客面表示器６６等が接続されている。
【００２０】
ＣＰＵ５１は所定の情報処理を実行すると共に、このＣＰＵ５１に接続されたＰＯＳ端末１の各部の制御を行う。また、電力を供給する電源回路６０についても制御を行う。電源回路６０は、ＰＯＳ端末１内蔵の各部に動作電圧を出力するものである。
【００２１】
センサ５７は、傾斜センサや加速度センサにて構成される。傾斜センサは本体１０に対する表示部３０の角度を検出する。加速度センサは、表示部３０の移動に伴う状態の変化を検出する。これらのセンサは、表示部３０が、本体１０に対して本体１０の上面部に沿って倒れる状態に変更されたか、若しくは本体１０の上面部から起立する状態に変更されたか否かを検出する。詳しくは、加速度センサは表示部１０内または支軸部２０内に設けられており、それぞれ表示部３０のｘ方向、ｙ方向への移動に伴う加速度を検出する。この加速度センサにて、検出された加速度信号をバスラインを介してＰＯＳ端末１のＣＰＵ５１に送信する。
【００２２】
図６は、ＰＯＳ端末１の表示部３０の状態変化に伴ってＣＰＵ５１が実行処理する制御フローである。この制御フローは、本体１０に対する表示部３０の傾斜角θ（図４参照）を検出する傾斜センサを用いて実現する。
【００２３】
まずＣＰＵ５１は、ＰＯＳ端末１の電源オンを検知すると、センサ５７により、本体１０に対する表示部３０の傾斜角θ（図４参照）の読み取りが実行され（Ａｃｔ６０１）、表示部３０の本体２０に対する現在の状態を検出する。つまり、表示部３０が、本体１０の上面部に沿って倒れる状態（傾斜状態）であるか、若しくは本体１０の上面部から起立する状態（起立状態）であるかを検出する（Ａｃｔ６０２）。この表示部３０の状態検出の判断は、例えば、センサ５７から検出された傾斜角θが予め設定されている傾斜角θ１を超えたか否かにより判断する。予め設定されている傾斜角θ１を超える場合、表示部３０は本体１０の上面部から起立する状態（起立状態）であると判断する。また、予め設定されている傾斜角θ１を超えない場合、表示部３０は、本体１０に対して本体の上面部に沿って倒れる状態（傾斜状態）であると判断する。
【００２４】
ＣＰＵ５１は、センサ５７からの入力を受け、予め設定されている傾斜角θ１を超えたと判断すると（Ａｃｔ６０２のＹｅｓ）、ＰＯＳ端末１の本体内部または表示部３０に内蔵されている機器（例えば、プリンタ等）へ電力供給を停止する信号を送信する。ＰＯＳ端末１に内蔵されている機器は、この信号を受信すると動作を停止する（Ａｃｔ６０３）。つまり、ＣＰＵ５１は、表示部３０が本体１０の上面部から起立する状態（起立状態）であると判断すると、ＰＯＳ端末１に接続されている全ての機器又は一部の機器への電力供給を停止する。なお、電力供給停止の対象となる機器は、ＰＯＳ端末１の本体１０内部または表示部３０に内蔵されている機器のみならず、コネクタなどの接続部を介して接続される外部機器（ドロワ６１、バーコードスキャナ６２、ＣＣＤスキャナ６３、カードリーダ６４、キーボード６５）等も対象となる。この場合も、全ての外部機器又は一部の外部機器への電力供給を停止するように構成してもよい。これらＰＯＳ端末１の内部機器やＰＯＳ端末１に外部接続された外部機器への電力供給を停止する理由は、ＰＯＳ端末１が店員により操作される場合は、ドロワ６１やバーコードスキャナ６２やＣＣＤスキャナ６３やキーボード６５等を使用する必要があるが、顧客がＰＯＳ端末１を使用する場合は、これら外部接続された外部機器（ドロワ６１やバーコードスキャナ６２やＣＣＤスキャナ６３やキーボード６５等）については使用する必要がない場合が多いためである。
【００２５】
次に、ＣＰＵ５１はセンサ５７からの信号入力があるか否かを待機する（Ａｃｔ６０４）。センサ５７からの信号入力がない場合（Ａｃｔ６０４のＮｏ）、Ａｃｔ６０３の処理に戻り、ＰＯＳ端末１の各部への電力供給は停止されたままである。一方、センサ５７からの信号の入力があった場合（Ａｃｔ６０４のＹｅｓ）、Ａｃｔ６０１の処理に戻り、再度センサ５７を実行させて本体１０に対する表示部３０の傾斜角θの読み取りを行う（Ａｃｔ６０１）。そして、Ａｃｔ６０２以降の処理を繰り返す。
【００２６】
次に、Ａｃｔ６０２にて、ＣＰＵ５１は、センサ５７からの信号入力を受け、センサ５７により検出された傾斜角θが予め設定されている傾斜角θ１を超えたか否かを判断した結果、予め設定されている傾斜角θ１を超えていないと判断すると（Ａｃｔ６０２のＮｏ）、ＰＯＳ端末１に内蔵されている機器への電力の供給を実行する。ＰＯＳ端末１に内蔵されている機器は、電力供給を受けると動作する（Ａｃｔ６０５）。つまり、ＣＰＵ５１は、表示部３０が本体１０の上面部に沿って倒れる状態であると判断すると、ＰＯＳ端末１に接続されている機器への電力供給を実行する。
【００２７】
次に、ＣＰＵ５１はセンサ５７からの信号入力があるか否かを待機する（Ａｃｔ６０６）。センサ５７からの信号入力がない場合は（Ａｃｔ６０６のＮｏ）、Ａｃｔ６０５の処理に戻り、ＰＯＳ端末１に内蔵されている各部への電力供給は継続されたままである。一方、センサ５７から信号の入力があった場合（Ａｃｔ６０６のＹｅｓ）、Ａｃｔ６０１の処理に戻り、再度センサ５７を実行させて本体１０に対する表示部３０の傾斜角θの読み取りを行う（Ａｃｔ６０１）。そして、Ａｃｔ６０２以降の処理を繰り返す。
【００２８】
なお、本発明は上記の実施形態に限定されることはなく、例えば、ＣＰＵ５１が、センサ５７にて検出した傾斜角θが予め設定されている傾斜角θ１を超えると判断した場合に、ＰＯＳ端末１内部の機器やその他ＰＯＳ端末１に接続されている外部機器等について電力が供給され、ＰＯＳ端末１内の各部やその他ＰＯＳ端末１に接続されている外部機器等が動作する状態となり、一方でセンサ５７にて検出した傾斜角θが予め設定されている傾斜角θ１を超えない場合に、ＰＯＳ端末１内の機器やＰＯＳ端末１に接続されている外部機器等について電力が供給されることがなく、ＰＯＳ端末１内の機器やＰＯＳ端末１に接続されている外部機器等が動作しない状態となるように構成することも可能である。
【００２９】
次に第２の実施形態について述べる。図７は、ＰＯＳ端末１の表示部３０の状態変化に伴ってＣＰＵ５１が実行処理する制御フローである。この制御フローは、本体１０に対する表示部３０の状態を検出する加速度センサを用いて実現する
まずＣＰＵ５１は、表示部３０の現在の状態を検出する（Ａｃｔ７０１）。すなわち、表示部３０が、本体１０に対して本体１０の上面部に沿って倒れる状態（傾斜状態）であるか、若しくは本体１０の上面部から起立する状態（起立状態）であるかを検出する。なお、第２実施形態の説明では、便宜上、初期状態は表示部３０が本体１０に対して傾斜した状態である場合を前提として説明する。
【００３０】
ＣＰＵ５１は、センサ５７である加速度センサからの入力を受けるまで待機する（Ａｃｔ７０２）。加速度センサからの入力を受けると（Ａｃｔ７０２のＹｅｓ）、ＲＡＭ等の記憶領域に形成されたメモリテーブルのフラグＦを１に設定する（Ａｃｔ７０３）。ここで、加速度センサからの入力があったことは、表示部３０が店員または顧客により操作されることで表示部３０の角度が変更されたことを意味し、表示部３０は、初期状態の本体１０に対して傾斜した状態（図２参照）から本体に対して起立した状態（図３参照）へと変化したことを意味する。
【００３１】
次に、ＣＰＵ５１は、フラグＦが１にセットされたことを受けて、本体１０内または表示部３０に内蔵されている機器、例えば、プリンタ等への電力供給を停止する信号を送信する。プリンタ等の機器は、この信号を受信すると動作が停止される（Ａｃｔ７０４）。なお、電力供給を停止する機器としては、ＰＯＳ端末１の本体１０内部または表示部３０に内蔵されている機器のみならず、例えば、接続部であるコネクタを介して接続される外部機器（ドロワ６１、バーコードスキャナ６２、ＣＣＤスキャナ６３、カードリーダ６４、キーボード６５）等も停止することが可能である。つまり、表示部３０が本体に対して起立した状態の場合、プリンタやその他ＰＯＳ端末１に接続されている外部機器等については電力が供給されることがなく、動作しない状態となる。
【００３２】
次に、Ａｃｔ７０５において、店員などにより再度、表示部３０が操作されて、ＣＰＵ５１はセンサ７５からの信号を受信すると（Ａｃｔ７０５）、１に設定されているフラグＦを反転させ（Ａｃｔ７０６）、フラグＦを０に設定する（Ａｃｔ７０７）。これは、Ａｃｔ７０５からＡｃｔ７０７は、店員または顧客により、表示部３０が起立した状態から傾斜した状態へと状態が変化させられたことを意味する。
【００３３】
ＣＰＵ５１はセンサ５７からの信号を受けて、電源回路により本体１０内部または表示部３０に内蔵されている機器や本体に接続されている外部機器に対して電力が供給される（Ａｃｔ７０８）。これにより、表示部３０が本体１０に対して沿って倒れる場合（図２の状態）においてＰＯＳ端末１内部の機器や外部機器に電力が供給される。
【００３４】
次に、ＣＰＵ５１は、Ａｃｔ７０８にて、ＰＯＳ端末１に内部の機器及び外部接続されている外部機器に電力供給を停止している場合に、センサ５７からの出力を検出した場合（Ａｃｔ７０９）、１に設定されているフラグＦを反転させ（Ａｃｔ７１０）、各機器への電力供給を停止する。この場合、ＰＯＳ端末に内蔵されている全ての機器又は一部の機器への電力供給を停止するように構成される。
【００３５】
なお、上記の実施形態に限定されることはなく、本体１０の上面部が起立する状態（起立状態）である場合に、ＰＯＳ端末１内部のプリンタやその他ＰＯＳ端末に接続されている外部機器等について、電力が供給され、動作する状態となり、一方で本体に対して本体の上面部に沿って倒れる状態（傾斜状態）の場合に、ＰＯＳ端末１内部の機器やＰＯＳ端末に接続されている外部機器等について電力が供給されることがなく、動作しない状態となるように構成することも可能である。
【００３６】
この場合の制御について、図８のフローチャートを用いて説明する。図８の説明では、図７のフローチャートと異なる処理について説明を行う。なお、図７のフローチャートと異なる処理はＡｃｔ７０３´、Ａｃｔ７０４´、Ａｃｔ７０７´、Ａｃｔ７０８´である。すなわち、Ａｃｔ７０２にてＣＰＵがセンサからの信号の入力を受けて（Ａｃｔ７０２のＹｅｓ）、表示部３０が本体１０に対して起立した状態となった場合、フラグＦを０に設定し（Ａｃｔ７０３´）、ＰＯＳ端末１内部のプリンタやその他ＰＯＳ端末に接続されている外部機器等について、電力が供給され、動作する状態となる（Ａｃｔ７０４´）。一方、表示部３０が本体１０に対して沿って倒れる状態すなわち傾斜した状態となった場合、フラグＦを１に設定し（Ａｃｔ７０７´）、ＰＯＳ端末内部のプリンタやその他ＰＯＳ端末に接続されている外部機器の全て又は一部の外部機器等について、電力の供給を停止し、動作させない状態となる（Ａｃｔ７０８´）。
【００３７】
本実施形態のＰＯＳ端末によると、本体に対する表示部の状態（表示部が本体に対して沿って倒れる状態又は表示部が本体に対して起立した状態）に応じて本体内部の機器や外部接続されている外部機器への電力供給を停止させることができる。したがって、顧客がＰＯＳ端末を操作する場合であっても、ＰＯＳ端末に内蔵されている機器や外部接続されている外部機器は、店員がＰＯＳ端末を操作する場合と同様に全ての機器が動作することはなく、ＰＯＳ端末に内蔵されている全ての機器又は一部の機器への電力供給を停止するため、誤操作を防止することができる。また、表示部の本体に対する状態に応じて、動作させる必要がない全ての機器または一部の機器への電力供給がなくなるので、消費電力の削減にもつながる。
【００３８】
以上、本発明の実施の形態について説明したが、本発明はこれに限定されるものではなく、本発明の主旨を逸脱しない範囲での種々の変更、置換、追加等が可能である。
【符号の説明】
【００３９】
１  ＰＯＳ端末（情報処理端末）
２０  本体
３０  表示部
５１  ＣＰＵ
５２  プリンタ
５３  ＲＯＭ
５４  ＲＡＭ
５５  ＨＤＤ
５６  タッチパネル
５７  センサ
５８  通信Ｉ/Ｆ
５９  コネクタ
【図１】
2012203505.tif 000003
【図２】
2012203505.tif 000004
【図３】
2012203505.tif 000005
【図４】
2012203505.tif 000006
【図５】
2012203505.tif 000007
【図６】
2012203505.tif 000008
【図７】
2012203505.tif 000009
【図８】
2012203505.tif 000010